(57)【要約】【課題】イオン水タンク排水バルブのパッキン接着手段がイオン水で劣化し変形して，バルブ閉止時に漏水する欠点を廃除したバルブを提供する。【解決手段】弁座の上に接するパッキンを，金属板とガイドワッシャで挟み，これらを貫通するネジ付きシャフトを複数のネジで締め付けて固着し，ガイドワッシャの水平部周縁に複数の垂直部を設け，該垂直部の対面直径が弁座口径より小さく，かつ長さ寸法がシャフトストロークより大きい寸法とする。【選択図】　図１
2004003552.tif 000002
【特許請求の範囲】
【請求項１】
円筒形のパイプハーフソケットの上部周縁を弁座として，該弁座に接したり離れたりして流路を開閉する金属板，該金属板の下面で上記弁座との間に介在させたパッキン，該パッキン下面に接するワッシャ，上記パッキンと上記金属板と上記ワッシャを固着させるための固着手段とで構成されるイオン水排水バルブにおいて，上記パッキンの下面に接するワッシャが，座面である水平部とこれに繋がる垂直部とから形成されたガイドワッシャであり，該ガイドワッシャと上記金属板とによって上記パッキンを挟持することを特徴としたイオン水排水バルブ。
【請求項２】
上記パッキンと上記金属板を固着させる固着手段が，パッキン，金属板，ガイドワッシャを貫通するネジ付きシャフト及び該シャフトにねじ込まれる複数個のナットによって形成される固着手段であり，上記シャフトの上方に垂直駆動手段を具備した請求項１記載のイオン水排水バルブ。
【請求項３】
上記のガイドワッシャが，水平部の周縁に形成された垂直部における対面直径の最大部が弁座口径の内径であるパイプハーフソケットの内径の寸法より小さい寸法に形成され，該垂直部の高さ寸法が上記シャフトの垂直駆動ストロークより長い寸法に形成されたガイドワッシャである請求項１記載のイオン水排水バルブ。
【発明の詳細な説明】
【０００１】
【発明の属する技術分野】
本発明は，バルブの構造に関し，特にアルカリイオン水と酸性イオン水のようなイオン水を貯留するタンクにおける排水バルブの構造の改良である。
【０００２】
【従来の技術】
図６にイオン水排水バルブの従来の構造を分解図で示した。図６において２は弁座であって，排水パイプに取り付けられたパイプハーフソケット３の上部周縁である。７は金属板，８はパッキンである。排水時の水は流路９を流れて排水パイプに導かれる。１０はナット，１１はネジつきシャフトである。パッキン８は接着剤で金属板７に接着している。２０は平座金であり複数のナット１０で締め付けるときの座面の機能を果たしている。
【０００３】
【発明が解決しようとする課題】
排水時にシャフトを上方に引き上げて弁座２とパッキン８との隙間を大きくあけて排水する。しかし，イオン水の場合には接着剤が劣化してしまうことがあり，パッキン８が排水の流れの力で押されて変形し，弁座２との隙間が出来てしまう欠点があった。また，シャフト１１の横ズレが起こってパッキン８が座面を塞ぎ切らないで水漏れを発生させることもあった。
【０００４】
このようにイオン水でパッキン８の接着が劣化し，パッキン８が撓んで変形したり横ズレして弁座２との閉止が不完全となってしまう欠点を廃除したイオン水排水バルブを提供することが本発明の目的である。
【０００５】
【課題を解決するための手段】
弁座を金属板でパッキンを介して開閉する構造の排水バルブに対して，請求項１に関しては，円筒形のパイプハーフソケットの上部周縁を弁座として，該弁座に接したり離れたりして流路開閉する金属板，該金属板の下面で該弁座との間に介在させたパッキン，該パッキンと該金属板とを固着させるための固着手段とで構成されるイオン水排水バルブにおいて，該パッキンの下面には平ワッシャに替えてガイドワッシャとし，該金属板とによって該パッキンを挟持することとした。
請求項２に関しては，上記パッキンと金属板を固着させる接着剤が劣化する解決手段として，固着手段がパッキン，金属板，ガイドワッシャを貫通するネジ付きシャフト及び該シャフトにねじ込まれる複数個のナットによって形成される固着手段とした。
請求項３に関しては、上記のガイドワッシャが，パッキンに接するガイドワッシャ水平部周縁に形成した垂直部の対面直径の最大寸法がパイプハーフソケットの内径である弁座口径の内径寸法より小さい寸法に形成され，垂直部の長さを垂直駆動のストロークより長くして上下運動のどの位置に置いてもガイドワッシャがパイプハーフソケットの中に位置するようにしてパッキンが座面より横に外れないようにした。
【０００６】
【発明の実施の形態】
本発明の１実施形態を示すイオン水排水バルブの断面図を図１に示す。また，図２において本発明の実施形態の排水バルブを取り付けて操作する機構を含むタンク構造図を示す。これらの図において１はタンク，２は弁座でありパイプハーフソケット３の上部周縁である。４はイオン水，５はニップルで排水パイプ６にねじ込まれ連結している，７は金属板，８はパッキン，９は流路，１０は複数のナット，１１はネジつきシャフト，１２はガイドワッシャで，その垂直部１３を水平部１４の周縁部に設けてある。金属板７，パッキン８及びガイドワッシャ１２をネジつきシャフト１１で貫通している。固着手段１８は複数のナット１０を具備したネジつきシャフトである。従来の接着を廃除し，ガイドワッシャ１２が平ワッシャに替わって設けてある。該シャフト１１は上下駆動手段１７で上下運動をするが，このときのストローク１５がパッキンの下に隙間をつくりバルブが開くことになる。
【０００７】
図３に本発明の実施形態を示すイオン水排水バルブの要部を拡大し，ガイドワッシャ１２の断面図と下面図を示す。ここで１３はガイドワッシャ１２の垂直部であり，水平部１４の周縁部に形成されている。対面した垂直部１３の最大直径２１がパイプハーフソケット３の内径である弁座口径の内径より小さく形成されているから，ガイドワッシャ１２の垂直部１３は常にパイプハーフソケット３の中にあってストローク１５のどの高さにおいて横ズレしてもパイプハーフソケット３内部から外れることはない。パッキン８の直径は弁座２を，余裕を持って覆う寸法に形成されていて，上記横ズレの可能範囲内では，パッキン８は弁座２を覆うようにした。
【０００８】
図４は本発明の他の実施形態を示すイオン水排水バルブの要部を拡大し，下面図を示す。ここで１３はガイドワッシャの垂直部であり，水平部１４の周縁部に形成されている。対面した垂直部１３の最大直径２１がパイプハーフソケット３の内径より小さく形成されているから，ガイドワッシャの垂直部１３は常にパイプハーフソケット３の中にあってストローク１５のどの高さにおいて横ズレしてもパイプハーフソケット３の内部から外れることはない。
【０００９】
図５は本発明の第３の実施形態を示すイオン水排水バルブの要部を拡大し，ガイドワッシャの下面図を示す。ここで１３はガイドワッシャ１２の垂直部であり，水平部１４の周縁部に形成されている。対面した垂直部１３の最大直径２１が図４のパイプハーフソケット３の内径より小さく形成されているから，ガイドワッシャ１２の垂直部１３は常にパイプハーフソケット３の中にあってストローク１５のどの高さにおいて横ズレしてもパイプハーフソケット３の内部から外れることはない。垂直部１３は，少なくとも対向最大直径がパイプハーフソケット３の内径より小さく形成されている条件を充たすならば，工作法は図のような周縁部位の曲げ加工に限らず，垂直棒を溶接して形成することも有効である。
【００１０】
【発明の効果】
本発明によるとパイプハーフソケットの直径より少し小さい対面直径を有する垂直部を具備したガイドワッシャによって，ゴムなど弾性体パッキンの変形が最小に抑えられる。シャフトの横ずれも防止できるのでパッキンの隙間からイオン水が漏れるトラブルが解消された。イオン水の漏洩による水資源の浪費が抑えられ，環境問題を低減でき，省資源に貢献できるので工業的価値が大きい。
【図面の簡単な説明】
【図１】本発明の実施形態を示すイオン水排水バルブの断面図である。
【図２】本発明の実施形態の排水バルブを取り付けて操作する機構を含むタンク構造図でてある。
【図３】本発明の実施形態を示すイオン水排水バルブの要部を拡大した断面図と下面図である。
【図４】本発明の他の実施形態を示すイオン水排水バルブの要部を拡大した下面図である。
【図５】本発明の他の実施形態を示すイオン水排水バルブの要部を拡大した下面図である。
【図６】従来の技術によるイオン水排水バルブの斜視図である。
【符号の説明】
１　　　タンク
２　　　弁座
３　　　パイプハーフソケット
４　　　イオン水
５　　　ニップル
６　　　排水パイプ
７　　　金属板
８　　　パッキン
９　　　流路
１０　　　ナット
１１　　　ネジつきシャフト
１２　　　ガイドワッシャ
１３　　　垂直部
１４　　　水平部
１５　　　ストローク
１７　　　上下駆動手段
１８　　　固着手段
２１　　　垂直部の対面最大直径
【図１】
2004003552.tif 000003
【図２】
2004003552.tif 000004
【図３】
2004003552.tif 000005
【図４】
2004003552.tif 000006
【図５】
2004003552.tif 000007
【図６】
2004003552.tif 000008